(57)【特許請求の範囲】
【請求項１】
第１の縦軸を有する第１のコネクタシェルと、
該第１のコネクタシェルと相互に係合し、第２の縦軸を有する、第２のコネクタシェルと、
絶縁材料から形成され、前記第１のコネクタシェル内で支持される、第１のコネクタハウジングと、
絶縁材料から形成され、前記第２のコネクタシェル内で支持される、第２のコネクタハウジングと、
前記第１のコネクタハウジングによって支持され、離間される少なくとも２つの列に配列される第１の複数の接点を含む、第１のコネクタ半部であって、前記少なくとも２つの列のそれぞれは、前記第１の縦軸に対して横方向に延在し、前記第１のコネクタ半部は、雌レセプタクル部分および前記第１の複数の接点を包囲する中空内部を有する第１の接地遮蔽体を含む、第１のコネクタ半部と、
前記第２のコネクタハウジングによって支持され、離間される少なくとも２つの列に配列される第２の複数の接点を有する、第２のコネクタ半部であって、前記少なくとも２つの列のそれぞれは、第２の縦軸に対して横方向に延在し、前記第２のコネクタ半部は、雄嵌合部および前記第２の複数の接点を包囲する中空内部を有する第２の接地遮蔽体を含む、第２のコネクタ半部と、を備え、前記第１および第２の複数の接点は、該第１および第２の複数の接点が互いに係合し、かつ前記第１および第２の接地遮蔽体が互いに係合するように、それらのそれぞれのコネクタ半部内に配置され、前記第１および第２の接地遮蔽体は、前記第１および第２のコネクタシェルのうちの少なくとも１つの長さより大きい、組み合わされた長さを有し、
前記第１および第２のコネクタハウジングは、嵌合前および嵌合中に、前記第１および第２のコネクタ半部を共に整列させる相補的な相互に係合する部材を含み、前記第１および第２のコネクタハウジングは、前記第１および第２のコネクタシェル内に回転可能に搭載され、それによって、動作時、前記第１および第２のコネクタシェルのうちの一方の、前記第１および第２のコネクタシェルのうちの他方上での回転は、前記第１および第２のコネクタ半部を、前記第１および第２の縦軸のうちの少なくとも１つに沿って、互いに向かって平行移動させる、コネクタアセンブリ。
【請求項２】
第１の内側ハウジングは、前記第１のコネクタ半部に搭載され、かつ該第１のコネクタ半部を支持し、第２の内側ハウジングは、前記第２のコネクタ半部に搭載され、かつ該第２のコネクタ半部を支持する、請求項１に記載のコネクタアセンブリ。
【請求項３】
前記第１および第２の内側ハウジングはそれぞれ、リム部分を含み、前記第１および第２のコネクタシェルはそれぞれ、内側肩部分を含み、前記第１および第２の内側ハウジングのリム部分は、前記第１および第２の内側肩部分に当接して係合する、請求項１に記載のコネクタアセンブリ。
【請求項４】
前記第１の内側ハウジングの後方に前記第１のコネクタシェルを係合し、かつ前記第１の内側ハウジングを適所に保持する第１の保持リングと、前記第２の内側ハウジングの後方に前記第２のコネクタシェルを係合する第２の保持リングと、をさらに含み、前記第１および第２の保持リングは、前記それぞれの第１および第２のコネクタシェル内で単一体として前記第１および第２の内側ハウジングと前記第１および第２のコネクタ半部との回転運動を可能にする、請求項３に記載のコネクタアセンブリ。
【請求項５】
第１および第２の接地遮蔽体のうちの１つは、対応する前記第１および第２のコネクタ半部を実質的に包囲する、多層で中空の囲いを含む、請求項１に記載のコネクタアセンブリ。
【請求項６】
第１および第２の接地遮蔽体のうちの１つは、回路基板に搭載される遮蔽ケージを含み、該遮蔽ケージは、開口部が中に配置された前端を有し、前記コネクタ半部は、前記遮蔽ケージ内に位置付けられ、かつ前記前端の後方に離間される、請求項１に記載のコネクタアセンブリ。
【請求項７】
第１および第２の接地遮蔽体のうちの１つは、伝導性ハウジングであって、該伝導性ハウジング内に垂直に離間される２つの嵌合ブレードを支持する伝導性ハウジングを含む、請求項１に記載のコネクタアセンブリ。
【請求項８】
前記伝導性ハウジングは、対向するコネクタの遮蔽ケージと接触するために、その上に支持されるＥＭＩガスケットを含む、請求項７に記載のコネクタアセンブリ。
【請求項９】
前記伝導性ハウジングは、小さい前部および大きい後部を有する、請求項７に記載のコネクタアセンブリ。
【請求項１０】
前記第１および第２のコネクタ半部は、ＳＡＳ式コネクタである、請求項１に記載のコネクタアセンブリ。
【請求項１１】
前記第１および第２のコネクタは、ＨＤＭＩ式コネクタである、請求項１に記載のコネクタアセンブリ。
【請求項１２】
前記第１および第２のコネクタシェルは、伝導性であり、前記第１および第２の内側ハウジングならびに前記第１および第２のコネクタ半部の周囲に外側遮蔽体を提供する、請求項２に記載のコネクタアセンブリ。
【請求項１３】
第１および第２の接地遮蔽体のそれぞれは、前記第１および第２のコネクタシェルにより凹所に置かれる、請求項１に記載のコネクタアセンブリ。
【請求項１４】
第２の接地遮蔽体は、該第２の接地遮蔽体の一部が、前記第２のコネクタシェルの前縁を過ぎて突出するように、前記第２のコネクタシェルより長い、請求項１に記載のコネクタアセンブリ。
【請求項１５】
第１および第２の接地遮蔽体は、前記第１および第２のコネクタシェルのうちのいずれか１つの第２の長さより大きい第１の長さを有して、前記コネクタアセンブリを通って軸方向に延在する、請求項１に記載のコネクタアセンブリ。
【請求項１６】
第１および第２の内側ハウジングのそれぞれは、ケーブルワイヤーの部分および前部を包囲する後側ブーツ部分を含み、前記第１および第２の内側ハウジングの前記前部は、互いに当接する、請求項２に記載のコネクタアセンブリ。
【発明の詳細な説明】
【技術分野】
【０００１】
関連出願
本出願は、２０１４年８月６日に出願された、米国出願第１４／４５３，２１１号の優先権を主張する。
【背景技術】
【０００２】
本開示は、概して、高速コネクタに関し、より具体的には、密閉ハウジング内に包囲される高速コネクタに関する。
【０００３】
ＳＡＳおよびＨＤＭＩコネクタ等の高速コネクタは、コネクタを搭載するための回路基板を利用するデバイスに一般的に採用され、これらのデバイスは、それらの動作において静的デバイスであり、すなわち、それらは、内部の安定した環境においてそれらに外部の力を印加することなく使用される。車両および飛行機等の動的環境にこれらのタイプのコネクタを組み込むことが望ましく、したがって、コネクタが、嵌合されたときに、環境から密閉され、コネクタの嵌合を外してバラバラにさせ得る振動および他の外部の力から保護されることを確実にしなければならない。特に軍事用途における使用のための、１つのコネクタ規格は、コネクタが環境要因から保護され、かつ迅速な接続／切断タイプであることを要求するＤ３８９９９規格である。
【０００４】
典型的なＤ３８９９９コネクタは、コネクタハウジング半部のうちの一方においてピンフィールドに配列される複数の伝導性ピンおよび他方のコネクタハウジング半部においてピンレセプタクルを利用する。ピンは、屈曲し得、ピンフィールドは、コネクタのために選択された電気特性を導き出すよう慎重に設計されなければならず、これは、全体的なコネクタの費用を増大させる。さらに、ピンフィールドに使用可能な小さいサイズは、適切な高速動作のためのピン配列を設計する際に問題を引き起こし得る。ＳＡＳおよびＨＤＭＩ規格に適合する高速コネクタは、それらの遮蔽構造のために望ましい電気特性を有するが、軍事規格の要件を満足させる外部構造が提供されていない。さらに、これらの平坦な型のコネクタは、望ましい結合のためにそれらの接点に使用可能な包囲接地構造が必要である。したがって、軍事規格の基準を適切に満たし、コネクタ半部がそれぞれ、信頼できる接地のために内部遮蔽体を利用する、高速コネクタが必要である。
【０００５】
したがって、本開示は、さらに迅速な接続／切断能力を有しながら、そのような用途および耐振動に特に適したコネクタアセンブリに関する。
【発明の概要】
【課題を解決するための手段】
【０００６】
したがって、動的環境に適し、嵌合のために高速コネクタを適所に保つ、遮蔽されたコネクタアセンブリが提供される。
【０００７】
ＨＤＭＩ式コネクタを利用する一実施形態に従って、コネクタアセンブリは、２つの相互に係合する雄および雌コネクタコンポーネントを含む。各コネクタコンポーネントは、複数の伝導性接点を有するコネクタ半部を含み、これらの接点は、少なくとも２つの列に直線的に配列される。コネクタ半部はそれぞれ、対向する相互に係合する雄嵌合ブレードおよび雌レセプタクル部分を含む。コネクタコンポーネントの２つのコネクタ半部の間の嵌合は、雄嵌合ブレードを雌レセプタクルに押し込む場合等に、軸方向の直線運動によって影響される。遮蔽を提供して、その高速性能を向上させるために、各コネクタ半部は、関連付けられるコネクタコンポーネント内に保たれた、各コネクタ半部と関連付けられる接地遮蔽体を有する。コネクタ接点およびそれらの周囲の接地遮蔽体は、直線接続運動中に共に嵌合される。
【０００８】
コネクタ半部およびそれらの接地遮蔽体は、コネクタコンポーネント内に保たれた内側絶縁コネクタハウジング内に支持される。これらのコネクタハウジング半部は、反対端からコネクタ半部に適用され、好ましくは、１つ以上の保持リングによって、それらの関連付けられるコネクタコンポーネント内でアセンブリとして共に保たれ、その構築は、内側コネクタ半部およびそれらの絶縁ハウジングを、一体的な単一体としてそれらのコネクタコンポーネント内で回転させることを可能にする。外側コネクタコンポーネントは、伝導性であり得、外側コンポーネントを回転させながら、２つのコネクタ半部間の直線係合を可能にする嵌合が容易なネジ式カラーを含み得る。
【０００９】
コネクタシェルは、好ましくは、係合の１つの手段として、外部ネジ部が提供され、一方のシェルは、他方のシェルより大きく、そのため、２つのシェルは、一方のシェルが他方のシェルの上に延在する状態で、入れ子式で容易に係合され得る。このように、シェルはＯリングまたは他の種類の環境密閉を提供され得る。高速コネクタ半部に向上した接地を提供するために、２つのコネクタシェルのうちの１つと関連付けられた接地遮蔽体のうちの少なくとも１つは、コネクタハウジングインサートを全体的に通って延在する長さを有する。この長さはさらに、２つのコネクタシェル上の外部ネジ部の最長の長さ以上である。これは、コネクタ長さの約半分を横断する内部接地遮蔽体を提供する。
【００１０】
ＳＡＳ式コネクタ対での使用に特に適した本開示の原理に従ったコネクタアセンブリの別の実施形態において、２つのコネクタ半部が提供され、一方のそのようなコネクタ半部は、少なくとも２つの嵌合ブレードを支持する雄プラグコネクタであり、他方のコネクタ半部は、その中に画定される２つのカード受容スロットを有する雌レセプタクルコネクタである。両方のコネクタ半部は、伝導性外側遮蔽体を有し、プラグコネクタ半部外側遮蔽体は、その嵌合ブレードとして一対の回路カード包囲する伝導性ハウジングの形をとり、一方で、レセプタクルコネクタ半部は、回路基板に取り付けられる中空遮蔽ケージの形をとる。両方の遮蔽体は、それらのそれぞれの外側コネクタシェル内にコネクタ半部および関連付けられる遮蔽体を位置付けるのに役立つ絶縁ハウジングによって包含される。絶縁ハウジングはまた、好ましくは、シェルが、嵌合のためにまたは嵌合を外すために回転し得るように、保持リングによってコネクタシェル内の適所に保たれる。プラグコネクタ半部は、コネクタシェルの前縁の少なくともわずかに前方に突出して、レセプタクルコネクタとの最初の全体の嵌合のための導入突出部を画定する。２つの遮蔽体は、互いに係合し、２つのシェルのうちのいずれか１つより大きい長さを有する遮蔽された嵌合構造を提供する。
【００１１】
本開示のこれらおよび他の目的、特徴、および利点は、以下の発明を実施するための形態を考慮して、明らかに理解される。
【図面の簡単な説明】
【００１２】
本開示の構造および動作の機構および様式は、本開示のさらなる目的、特徴、および利点と共に、添付の図面と関連して、以下の詳細な説明を参照することによって最も良く理解され得、図中、同様の参照番号は、同様の要素を示す。
【００１３】
【図１】コネクタアセンブリの２つのコネクタコンポーネントが、パネルの両側で共に嵌合された、本開示の原理に従って構築され、ＳＡＳ式コネクタ半部を利用する、コネクタアセンブリの斜視図である。
【図１Ａ】図１のコネクタアセンブリの斜視図であるが、アセンブリが、パネルの反対側に搭載されたコネクタコンポーネントを示すように反転されている。
【図２】図１と同一の図であるが、雄コネクタコンポーネントが、パネルに固定されたコネクタコンポーネントから解放されている。
【図２Ａ】図２と同一の図であるが、雌コネクタコンポーネントが、パネルとの係合からねじって外されている。
【図３】図１のコネクタアセンブリの右半分または雌コネクタコンポーネントの分解図である。
【図３Ａ】明確さのために内側ハウジングおよびコネクタシェルが除去された、図１のコネクタアセンブリの左半分または雄コネクタコンポーネントの分解図である。
【図３Ｂ】図３Ａと同一の図であるが、後側ブーツが、コネクタ半部に適用され、内側ハウジングおよびシェルが、明確さのために分解されている。
【図４】その後の嵌合のために共に整列した、図１のコネクタアセンブリの２つのコネクタコンポーネントの部分断面図である。
【図４Ａ】図４と同一の図であるが、図１のコネクタアセンブリの接点配列を例示する、明確さのためのコネクタハウジングの断面図である。
【図５】図４と同一の図であるが、２つのコネクタコンポーネントが共に嵌合されている。
【図６】ＨＤＭＩ式コネクタ半部を利用する本開示に従ったコネクタアセンブリの別の実施形態の斜視図である。
【図６Ａ】図６と同一の図であるが、２つのコネクタコンポーネントが互いから解放されている。
【図７】図６のコネクタアセンブリの雄コネクタコンポーネントの分解図である。
【図７Ａ】図７と同一の図であるが、その反対側から取られている。
【図８】図６のコネクタアセンブリの雌コネクタコンポーネントの分解図である。
【図９】その後の嵌合のために共に整列した、図６のコネクタアセンブリの２つのコネクタコンポーネントの断面図である。
【図９Ａ】図９と同一の図であるが、２つのコネクタコンポーネントが、共に嵌合されている。
【図１０】図６のコネクタアセンブリの雄コネクタコンポーネントの正面図である。
【図１１】図６のコネクタアセンブリの雌コネクタコンポーネントの正面図である。
【発明を実施するための形態】
【００１４】
本開示は、様々な形の実施形態が可能であり得るが、本開示が、本開示の原理の例示であるとみなされ、本開示を例示されたようなものに限定するよう意図されないという理解の下で、特定の実施形態が図面に示され、本明細書に詳細に記載される。
【００１５】
したがって、特徴または態様への参照は、本開示の例の特徴または様態を記載するよう意図されるが、そのあらゆる実施形態が、説明された特徴または態様を有さなければならないことを意味しない。さらに、記載は、多くの特徴を例示することに留意されるべきである。ある特徴が、可能性のあるシステム設計を例示するために共に組み合わされているが、それらの特徴はまた、明示的に開示されない他の組み合わせでも使用され得る。したがって、描写された組み合わせは、別途示されない限り、限定されるよう意図されない。
【００１６】
図面に例示された実施形態において、本開示の種々の要素の構造および動きを説明するために使用される、上、下、左、右、前、および後等の方向の表現は、絶対的なものではなく、相対的なものである。これらの表現は、要素が図面に示される位置にあるときに適切である。しかしながら、要素の位置の記載が変わる場合、これらの表現は、それに応じて変更される。
【００１７】
図１は、パネル２１に搭載された、本開示の原理に従って構築されたコネクタアセンブリ２０を例示する。コネクタアセンブリ２０は、第１および第２の電気ケーブル２４、２５にそれぞれ取り付けられ得、パネル２１を通した用途に使用される、嵌合可能な第１および第２のコネクタ要素２２、２３を備える。そのような各ケーブル２４、２５は、複数の電気ケーブルを含む（図示せず）。図１Ａは、コネクタアセンブリ２０の右端または第２のコネクタ要素２３の後端を示し、第２のコネクタ半部３２が、回路基板３６に搭載され、回路基板３６が、回路基板３６に終端され、回路基板３６から延在するが、何らかの外側ケーブル内に包囲されない複数のワイヤー２６を有する、構造を例示する。
【００１８】
第２のコネクタ要素２３は、コネクタアセンブリ２０のレセプタクル半部であり、レセプタクルコネクタ半部３２を含み、本体は、対向および嵌合する雄コネクタ半部７０の嵌合ブレードとして役立つ一対の対応する回路カード７１ａ、７１ｂを受容するよう構成される、その中に画定される２つの水平回路カード受容スロット３８を有する。レセプタクルコネクタ半部３２は、回路基板３６に搭載され、レセプタクルコネクタ接点３９の尾部分３９ａは、回路基板３６内の空孔またはバイアスを通って延在して、回路と接触する。レセプタクルコネクタ半部３２の接点３９を、システム全体で利用される他の電子コンポーネントに接続するために、ワイヤー２６が提供され、これらの回路に終端される。レセプタクルコネクタ半部３２およびその関連付けられる雄またはプラグコネクタ半部７０に遮蔽を提供するために、細長い伝導性遮蔽ケージ３３が、レセプタクルコネクタ半部３２を包囲するために利用される。遮蔽ケージ３３は、遮蔽ケージ３３の前端に配置される中空内部３４および開口部３５を有する矩形の囲いを形成するように、型打ちおよび形成される上壁、低壁、後壁、および側壁を有する。図４Ａに示されるように、取付ネジ４６が提供され、取付ネジ４６は、回路基板３６内の開口部を通って、好ましくはレセプタクルコネクタ半部３２の絶縁本体部分内に捕捉される、保持ナット４７内に延在する。このネジ４６は、レセプタクルコネクタ半部３２および遮蔽ケージ３３の両方を、回路基板３６上の適所に保つことを支援する。
【００１９】
遮蔽ケージ３３は、コネクタアセンブリ２０の嵌合された接点に基準接地を提供し、また、高速データ伝送中のＥＭＩ（電磁干渉）の放出も防止する。レセプタクルコネクタ半部３２を、第２のコネクタシェル３０内に適切に位置付けるために、内側絶縁ハウジング４８が提供される。内側ハウジング４８は、他の形の係合が使用され得るが、示されるように、中心線に沿って共に嵌合される２つの半部４９ａ、４９ｂを有する。内側ハウジング４８は、取付ネジ４６を収容する複数のチャネルまたはスロット４４、４５、遮蔽ケージ３３の搭載尾部、および／または回路基板３６の底面を超えて突出し得るレセプタクルコネクタ半部３２を含む。回路基板３６の側面を係合する側面スロット４４ａが利用され得、好ましくは、内側ハウジング４８は、回路基板３６の前端５１に当接する前方停止表面５０または肩部分を有して、回路基板３６および取り付けられたレセプタクルコネクタ半部３２の位置を第２のコネクタシェル３０内に固定する。内側ハウジングスロットの内側に配置されるクラッシュリブ（図示せず）が提供されて、遮蔽ケージ３３を堅く係合し得る。
【００２０】
内側ハウジング４８は、第２のコネクタシェル６０の対向する肩部５８の内側表面に当接する介在リム５６で、前部５３および後部５４を画定する段階的な輪郭を有するように示される。１つ以上の保持リング６０は、内側ハウジング４８の前方部５３を係合し、内側ハウジング前方部５３を第２のコネクタシェル６０内に固定するように示される。第２のコネクタシェル６０の外側部分は、コネクタアセンブリ２０が搭載されるパネル２１と当接接触して置かれ得る、半径方向フランジ６２において終端するネジ式本体部分を有する。フランジ６２は、パネル２１に対して、溝またはチャネル６３内で可撓性Ｏリング６４等を支持し得る。第２のコネクタシェル６０は、ネジ式ロックナット６５によって、パネル２０上の適所に保たれる。
【００２１】
図３Ａ〜５は、コネクタアセンブリ２０の雄コネクタ半部７０を収納する第１のコネクタ要素２２を例示する。この雄コネクタ半部７０（図３Ａ）は、略矩形前方部７６およびマルチワイヤーケーブル２４を収容するより大きい略台形状後部７７を有する伝導性コネクタハウジング７２内に支持される一対の垂直に離間される回路カード７１ａ、７１ｂを含む。それによって、伝導性コネクタハウジング７２は、第１のコネクタ半部７０を包含する接地遮蔽体として役立つ。雄コネクタ半部７０の前方部７６は、中空であり、好ましくは、レセプタクルコネクタ半部３２を収納する遮蔽ケージ３３の中空内部３４内に適合するようにサイズ決定される。複数の離間されたバネフィンガー７５を有する矩形カラーの形のＥＭＩガスケット７４は、第１および第２のコネクタ要素２２、２３が共に嵌合されるときに、ガスケットフィンガー７５が遮蔽ケージ３３の内壁と接触する場所でコネクタハウジング７２上に配置される。内側ハウジング７８のブーツ部分８０は、コネクタハウジング７２の後部７７を係合するように提供され、これは、コネクタハウジング７２上に成形され得るか、またはコネクタハウジング７２の後部７７上に圧迫される別々の要素として形成され得る。このコネクタ半部ならびに続くその他の２つのコネクタ半部に対して、内側ハウジングは、コネクタ半部の両端から適用される２つの部分から形成される。
【００２２】
図３Ａおよび４に示されるように、絶縁内側ハウジング７８は、ブーツ部分８０の前方端に至るまで、雄コネクタ半部７０の後部７７を包含するために利用される。この内側ハウジング７８は、ＥＭＩガスケットバネフィンガー７５の端のちょうど後部まで前方へ延在する。内側ハウジング７８の前方部８２は、第１のコネクタシェル２８の内側肩部９１を係合する円周チャネルまたはリム８４を含む。保持リング（図示せず）は、内側ハウジング７８およびコネクタ半部７０が、第１のコネクタシェル２８内で単一体として回転するような様式で、内側ハウジング７８および雄コネクタ半部７０を第１のコネクタシェル２８内の適所に保持するために使用され得る。逆に、この回転搭載は、外側コネクタシェル２８、３０が、それらの内側コネクタ半部３２、７０上で回転することを可能にする。第１および第２のコネクタシェルは、第２のコネクタシェル３０上で第１のコネクタシェル２８を回転させることによって、互いの嵌合係合へ進む。この実施形態において、雄コネクタ半部７０の前方嵌合端９４は、第１のコネクタシェル２８の前縁９３を部分的に過ぎて突出して、レセプタクルコネクタ半部３２への整列および導入を可能にする。図５に示されるように、２つのコネクタ半部３２、７０の嵌合遮蔽体３３、７２の長さは、２つのコネクタシェル２８、３０のいずれかの長さＬ１、Ｌ２および共に嵌合されたときのコネクタシェル２８、３０の長さＬ３より長い長さＬを有する。コネクタシェル２８、３０内に包囲される嵌合可能な伝導性ハウジングまたは遮蔽体３３、７０を提供することによって、最小の干渉クロストークおよび雑音で、ＳＡＳ式コネクタの高速データ伝送が達成可能である。
【００２３】
図６〜１１は、本開示の原理に従った高速コネクタセンブリ１００の別の実施形態を例示する。この実施形態は、ＨＤＭＩ式コネクタ半部と共に使用するのに特に適している。図６に示されるように、コネクタアセンブリ１００は、ネジ式本体および内部穿孔を有する第１および第２のコネクタシェル１４４、１１２を含み、２つのコネクタシェル１４４のうちの一方の本体および穿孔は、一方のコネクタシェル１４４が他方のコネクタシェル１１２を入れ子式に係合し得るように、他方のコネクタシェル１１２より大きい。両方のコネクタシェル１４４、１１２は、コネクタシェルが、互いに整列すると、第２の外側コネクタシェル１４４が第１の内側コネクタシェル１１２上で回転し得、それによって、外側シェルが、その内側コンポーネント、すなわち、第１の（雄）コネクタ半部１３０を、対向する第２の（雌）コネクタ半部１０４との嵌合係合に前方へ進めるように、ねじ込められる。
【００２４】
第２のコネクタシェル１１２は、雌またはレセプタクルコネクタ半部１０４を収納する。図７〜８の分解図に示されるように、レセプタクルコネクタ半部１０４は、第２のコネクタ半部１０４を実質的に包囲する接地遮蔽体１０５を含み、第１のコネクタ半部１３０の同様の延在部分１３３を受容するように構成される延在部分１０５ａをさらに含む。接地遮蔽体１０５は、ケーブルワイヤーの終端領域およびレセプタクルコネクタ接点尾部分を覆う後側ブーツ部分１０８内に保たれる。後側ブーツ部分１０８を含む円柱状絶縁内側ハウジング１０７は、レセプタクルコネクタ半部１０４の残りおよびその接地遮蔽体１０５を包囲する。第１の実施形態と同様に、内側ハウジング１０７は、第２のコネクタシェル１１２の内側の中に配置される内側肩部１２０に当接する円周リム１１１を有する。内側ハウジング１０７と第２のコネクタシェル１１２との間に配置される環状チャネル１２４内に、変形可能なリング１２２が位置し、第１のコネクタシェル１４４の前縁１４５が、変形可能なリングと接触するときに、コネクタアセンブリ１００への密封を提供する。保持リング１０９は、内側ハウジング前部１１０および後側ブーツ部分１０８を第２のコネクタシェル１２２内の適所に保つように提供され、後側ブーツ部分１０８の後面に沿って配置される。この保持は、内側ハウジング１０７、レセプタクルコネクタ半部１０４、および接地遮蔽体１０５を、第２のコネクタシェル１１２内で単一体として回転させることを可能にし、上記に記載の様式で、２つのコネクタシェル１１２、１４４の嵌合をさらに可能にする。
【００２５】
ここで図８〜９Ａを参照すると、第１の（雄）コネクタ半部１３０は、その独自の関連付けられる接地遮蔽体１３２および延在部分１３３内に収納され、ケーブル１３４のワイヤーに終端される。第１のコネクタ半部１３０もまた、両方とも構成が円柱状である、後側ブーツ部分１３７および前部１３８を備える二部式内側ハウジング１３６内に包囲される。後側ブーツ部分１３７は、前部１３８の後端が置かれている円周リム１３４を有する。内側ハウジングリム１４０がその内側肩部１５２に当接するように、後側ブーツ部分１３７を圧迫する保持リング１４３が提供されて、内側ハウジング１３６を第１のコネクタシェル１４４内の適所に保つ。第１のコネクタシェル１４４とその外側ネジ式カラー１５０との間の空間に、第１のコネクタシェル１４４およびその内側コンポーネントが、外側カラー１５０に対して回転し得るように、スペーサリング１４６と、第１のコネクタシェル１４４を外側カラー１５０に保つ保持器１４７とを含む保持アセンブリが存在する。波形バネ１４９が、この空間内にさらに配置され、バネ１４９は、第１のコネクタシェル１４４を、第２のコネクタシェル１１２の可撓性密封リング１２２と接触させて、環境密封を提供する。この実施形態の接地遮蔽体１０５、１０７はそれぞれ、好ましくは、それらのそれぞれのコネクタシェルの前縁を超えて延在しない個々の長さを有し、かつ共に嵌合されたときに、２つのコネクタシェルのうちのいずれか１つの長さより長い、組み合わされた長さを有する。
【００２６】
このように、伝導性ピンが接点に使用された場合ならそうであるように、単一の接点ごとに個々の接地を提供するのではなく、各それぞれの雄および雌コネクタ半部の複数の接点ごとに、１つの接地のみが提供されるため、これらのコネクタの高速動作が最小の費用で達成され得る。コネクタ内側ハウジングは、非伝導性であり、したがって、コネクタシェルは、伝導性材料から形成されるか、または伝導性材料でメッキされて、コネクタアセンブリが接続するケーブルのものと一致する外側の外部接地を、本開示のコネクタアセンブリに提供し得る。
【００２７】
本開示の好ましい実施形態が示し、説明しているが、一方で、当業者は、上記の説明および添付の特許請求の範囲の趣旨および範囲から逸脱することなく、種々の修正を考案し得ることが想定される。
【図１】
0006314284.tif 000002
【図１Ａ】
0006314284.tif 000003
【図２】
0006314284.tif 000004
【図２Ａ】
0006314284.tif 000005
【図３】
0006314284.tif 000006
【図３Ａ】
0006314284.tif 000007
【図３Ｂ】
0006314284.tif 000008
【図４】
0006314284.tif 000009
【図４Ａ】
0006314284.tif 000010
【図５】
0006314284.tif 000011
【図６】
0006314284.tif 000012
【図６Ａ】
0006314284.tif 000013
【図７】
0006314284.tif 000014
【図７Ａ】
0006314284.tif 000015
【図８】
0006314284.tif 000016
【図９】
0006314284.tif 000017
【図９Ａ】
0006314284.tif 000018
【図１０】
0006314284.tif 000019
【図１１】
0006314284.tif 000020